(57)【要約】【課題】  捲装物を巻回する時に何ら支障を来すことがなく、ＩＣタグを容易に紙管に取付けることができ、取付けられたＩＣタグは紙層で保護され傷めることがない。【解決手段】  紙管本体１の端部肉厚部２にスリット３を刻設する。スリット３に非接触ＩＣタグ４を挿着する。【選択図】  図１
2006232449.tif 000002
【特許請求の範囲】
【請求項１】
紙管本体の端部肉厚部にスリットを刻設し、そのスリットに非接触ＩＣタグを挿着したことを特徴とするＩＣタグ付き紙管。
【請求項２】
スリットは、紙管本体の外周面に沿う円弧状に形成されていることを特徴とする請求項１に記載のＩＣタグ付き紙管。
【請求項３】
ＩＣタグは、上下シートをラミネート加工して内部にＩＣチップとアンテナを備えた可撓性のあることを特徴とする請求項１または２記載のＩＣタグ付き紙管。
【請求項４】
ＩＣタグの挿着位置を示す表示部が肉厚部に施されていることを特徴とする請求項１〜３のいずれか１項に記載のＩＣタグ付き紙管。
【発明の詳細な説明】
【技術分野】
【０００１】
本発明は、フイルム、炭素繊維、合繊糸、紙などの捲装物を巻き付ける紙管に関するもので、さらに詳しくは、捲装物の固有情報が分かるＩＣタグ付き紙管に関するものである。
【背景技術】
【０００２】
従来から、フイルム、炭素繊維、合繊糸、紙などの捲装物を巻き付ける紙管には、捲装物に何らかの問題が発生した場合の原因を究明するために、トレーサビリティ（製造履歴）の情報が必要になることがある。また、商品の流通管理や品質管理を行うのにはバーコードラベルを貼り付け、これをバーコード読み取り機で読み取ってコンピュータで管理することが行われている。しかし、バーコードラベルは汚れや剥がれによって読み取り不能が生じると共に、情報量が少なくデーターの書き換えなどができないと言った問題点があった。
【０００３】
このような問題点を解決するものとして、近年は記録情報量が多く、データーの書き換え、追記が自由にできると共に、高速に情報を読み取ることができるＩＣタグが用いられるようになってきており、捲装物を巻き付ける紙管においても、ＩＣタグ付きの紙管が提案されている。
【０００４】
そのようなＩＣタグ付き紙管としては、捲装物の巻取りに支障が生じないように、紙管の内筒部に挿入するクッション性スポンジ体にＩＣタグを装着したものが知られている。（例えば、特許文献１）また、紙管の内筒壁面に直接ＩＣタグを貼り付けたものが知られている。（例えば、特許文献２）
【特許文献１】特開２００１−２０３５２３号公報
【特許文献２】特開２００４−７５３６６号
【発明の開示】
【発明が解決しようとする課題】
【０００５】
しかしながら、前記特許文献１のＩＣタグをスポンジ状体の中に埋設するのに手間がかかると共に、ＩＣタグを埋設したスポンジ状体を紙管の内筒部に挿入するのが面倒であった。また、前記特許文献２の内筒壁面にＩＣタグを貼り付けるのは、曲面部に貼りつけなければならないことから、貼着が確実にならず接着不良により、ＩＣタグが剥がれることがあった。さらに、チャックによる破損やスピンドルとの摩擦などで静電気が発生して情報が誤動作する可能性があった。
【０００６】
本発明は、上記のような問題点を解決することを課題として開発されたもので、ＩＣタグを容易に紙管に取付けることができ、取付けられたＩＣタグは紙層で保護され傷めることなく、耐久性に富む共に、ＩＣタグ本来の電波の送受信範囲が確保でき、捲装物の固有の情報を確実に読み取り、捲装物に何らの支障を来たすことなく巻取ることができるＩＣタグ付き紙管を提供することを目的とするものである。
【課題を解決するための手段】
【０００７】
上記の課題を解決し、その目的を達成する手段として、本発明では、紙管本体の端部肉厚部にスリットを刻設し、そのスリットに非接触ＩＣタグを挿着したことを特徴とするＩＣタグ付き紙管を開発し、採用した。
【０００８】
また、本発明では、上記のように構成したＩＣタグ付き紙管において、スリットは、紙管本体の外周面に沿う円弧状に形成されているＩＣタグ付き紙管、およびＩＣタグは、上下シートをラミネート加工して、内部にＩＣチップとアンテナを備えた可撓性のあるＩＣタグ付き紙管、およびＩＣタグの挿着位置を示す表示部が肉厚部に施されていることを特徴とするＩＣタグ付き紙管を開発し、採用した。
【発明の効果】
【０００９】
本発明は、紙管の端部肉厚部に刻設したスリットにＩＣタグを挿着するものであるから、極めて容易に挿着することができ、挿着されたＩＣタグは、紙層で保護され傷めることがなくなると共に、紙層の弾力性でＩＣタグを挟着するので抜け出しを防止できる。また、ＩＣタグは円弧状のスリットに挿着されて円弧状になることから、読み取り装置との電波の送受信範囲が広がり、確実に情報を読み書きすることができる。さらに、ＩＣタグは可撓性を有しているから、円弧状のスリットに沿ってスムーズに挿着できる。
【発明を実施するための最良の形態】
【００１０】
以下に、本発明の第１実施の形態を添付の図１〜図５に基づいて説明すると、１は帯状原紙をスパイラルに何層にも巻回して形成した筒状の紙管本体であり、端部肉厚部２の略中間部に外周面に沿う円弧状のスリット３を刻設してある。このスリット３の位置は、図示では背面の肉厚部になっているが、正面の肉厚部、あるいは左右側面の肉厚部でもよい。スリット３は円弧状の薄い刃物（図示せず）によって所定の幅と深さと長さに刻設される。
【００１１】
４は前記スリット３に挿着する非接触ＩＣタグで、図４，５に示すように、ＩＣチップ５とアンテナ６を備えて構成されており、細幅の上下合成樹脂シートカバー材７，８によって周囲が溶着され密閉された可撓性に優れた材料から形成されている。
【００１２】
上記ＩＣチップ５にはメモリを有していて固有の情報、例えば、製造年月日、製造ロット、製品名、その他の情報が記録される。アンテナ６は、読み取り装置（図示せず）から発信される電波に共振して電流を発生させ、上記ＩＣチップ５を起動させることができ、起動したＩＣチップ５は上記メモリが記憶している情報をアンテナ６から読み取り装置へ電波で送り、読み取り装置は必要な情報を得ることができる。
【００１３】
非接触ＩＣタグ４は、紙管本体１の端部肉厚部２に刻設した円弧状スリット３内に完全に入っていることから、その取付け位置が分かりにくいため、ＩＣタグ４の取付け位置を示す目印記号や着色などの表示部９を肉厚部２に施してある。その目印記号や着色などの表示部９として印刷インキを使用すれば、その部分の紙層が加湿され膨潤して、スリット３とＩＣタグ４との隙間が狭くなり、より一層強固に挟着されるものである。なお、印刷インキに変えてＩＣタグ４の上面にＩＣタグ４と直交する方向から刻印を施すこともある。
【００１４】
上記のように構成した本発明の実施形態の使用状態を作用効果と共に説明すれば、紙管本体１の端部肉厚部２に刻設した円弧状スリット３にＩＣタグ４を挿着することによりＩＣタグ付き紙管になる。
【００１５】
その際、ＩＣタグ４は、紙管本体１の端部肉厚部２に刻設した円弧状スリット３に挿着するのであるが、そのスリット３は、円弧状の刃物によって刻設されて紙層の繊維の絡みが乱れ摩擦抵抗を高めると共に、紙層の持つ弾力保持性により、ＩＣタグ４はスリット３から抜け出ることがない。
【００１６】
また、ＩＣタグ４は、紙管本体１の端部肉厚部２に取付けられるから、従来の紙管内筒に取付けられるＩＣタグのように破損される虞れがなく、かつ挿着されたＩＣタグ４は、円弧状に形成されているから、電波の送受信範囲が確保でき、さらに、ＩＣタグは可撓性を有しているから、円弧状スリット３に極めて簡単に挿着できる。また、巻取り製品の巻取り時および巻取り後の運搬などに際しても何ら支障をきたすことがない。
【実施例】
【００１７】
(実施例１)
以下に、本発明の具体的な実施例を示す。帯状原紙をスパイラルに何層にも巻回して外径９２φ、内径７６φ、長さ１００ｍｍの筒状紙管本体１を得た。紙管本体１の背面肉厚部２の略中間部位置に、厚さ０．６ｍｍ、幅７０ｍｍの円弧状刃物によって、スリット幅が０．１５ｍｍ、スリット長さが７０ｍｍ、スリット深さが１０ｍｍの円弧状スリット３を刻設した。この円弧状スリット３に、厚さ０．０５ｍｍ、長さ６５ｍｍ、高さ１０ｍｍのＩＣタグ４を挿着し、赤色の印刷インクで丸印の表示部９をつけてタグ付き紙管とした。
【００１８】
このタグ付き紙管本体１に厚さ０．０３ｍｍ  幅１００ｍｍの液晶フイルム５００ｍ捲きつけ、予めＩＣチップのメモリ部に書き込んだ情報を、読取装置で情報を読み取ることができるかの試験を行ったところ、ＩＣタグと読み取り装置との間での電波の送受信が良好で瞬時に読み取ることができた。
【比較例】
【００１９】
（比較例１）
上記実施例１と同じ紙管本体と、ＩＣタグとで、ＩＣタグの固着位置を、紙管本体１の端部肉厚部２でなく、正面部の外面上端部に接着剤で固着した。この紙管本体に、上記実施例１と同様の液晶フイルムを捲きつけ、予めＩＣチップのメモリ部に書き込んだ情報を、読取装置で情報を読み取ることができるかの試験を行ったところ、ＩＣタグと読み取り装置との間での電波の送受信が良好で瞬時に読み取ることができたが、ＩＣタグが外面に出ていることから、巻取り時や搬送時に傷める事があり耐久性に問題があるのが分かった。
（比較例２）
【００２０】
上記実施例１と同じ紙管本体と、ＩＣタグで、ＩＣタグの固着位置を、紙管本体１の端部肉厚部２でなく、正面部の内面上端部に接着剤で固着した。この紙管本体に、上記実施例１と同様の液晶フイルムを捲きつけ、予めＩＣチップのメモリ部に書き込んだ情報を、読取装置で情報を読み取ることができるかの試験を行ったところ、ＩＣタグと読み取り装置との間での電波の送受信が良好で瞬時に読み取ることができた。ＩＣタグが内面に隠れていることから、比較例１のように傷める事がないが、ＩＣタグの貼り付けが面倒であると共に手間がかかり、かつスピンドルとの摩擦などにより静電気が発生してＩＣタグが誤動作する可能性のあることがわかった。
【００２１】
以上のことから、本発明が比較例１より損傷性や耐久性に優れており、また、比較例２より、ＩＣタグの装着作業の容易性および読み取り装置とＩＣタグ間の確実な電波の送受信性に優れていることがわかった。
【００２２】
以上、本発明の主要な実施の形態について説明したが、本発明は上記の実施例に限定されるものではなく、発明の目的を達成でき、かつ発明の要旨を逸脱しない範囲内で種々の設計変更が可能であることは言うまでもない。
【産業上の利用可能性】
【００２３】
本発明は、各種のフイルム、炭素繊維、合繊糸、紙や薄いシート状物などの巻取り製品を巻き付ける紙管として利用できるものである。
【図面の簡単な説明】
【００２４】
【図１】本発明の第１実施の形態を示す斜視図である。
【図２】スリットにＩＣタグが挿着された状態の平面図である。
【図３】図２のＡ−Ａ線断面図である。
【図４】ＩＣタグの一部切欠正面図である。
【図５】ＩＣタグの断面図である。
【符号の説明】
【００２５】
１  紙管本体
２  端部肉厚部
３  スリット
４  ＩＣタグ
５  ＩＣチップ
６  アンテナ
【図１】
2006232449.tif 000003
【図２】
2006232449.tif 000004
【図３】
2006232449.tif 000005
【図４】
2006232449.tif 000006
【図５】
2006232449.tif 000007